(57)【要約】【課題】コンパクトな装飾品を取り付けることのできる筆記具を提供する。【解決手段】押圧部材後端部３３には、取り付け穴部３８が形成されている。取り付け穴部３８に、イヤホンジャック６０の挿入部６３を挿入することにより、押圧部材後端部３３にイヤホンジャック６０が取り付けられている。【選択図】図１
2014231214.tif 000002
【特許請求の範囲】
【請求項１】
筆記部が位置する側の前端部と、
該前端部と反対側の後端部と
を有する筆記具であって、
前記後端部に形成された取り付け穴部と、
前記取り付け穴部に挿入される挿入部を有する装飾品と
を備え、
前記挿入部を前記取り付け穴部に挿入することにより、前記装飾品が前記後端部に取り付けられる筆記具。
【請求項２】
前端開口及び後端開口を有する軸筒と、
該軸筒内に収容されると共に前記筆記部を有するリフィールと、
前記後端開口から前記軸筒内に挿入された押圧部材であって、該押圧部材が前記リフィールを前記前端開口に向かって押すことにより、前記前端開口から前記筆記部が突出する押圧部材と
を備え、
前記後端部は、前記押圧部材のうち前記後端開口から突出した部分である、請求項１に記載の筆記具。
【請求項３】
前記装飾品はイヤホンジャックである、請求項１または２に記載の筆記具。
【発明の詳細な説明】
【技術分野】
【０００１】
この発明は、筆記具に係り、特に、装飾品を取り付け可能な筆記具に関する。
【背景技術】
【０００２】
筆記具には、需要者の趣味性を満たすため、筆記具の軸筒の後端部に、キャラクタ等の装飾品を取り付けることがある。そのような装飾品を取り付けたノック式ボールペンが、例えば特許文献１に記載されている。この装飾品は、軸筒の後端から突出すると共に軸筒の前端に向かって押し込み可能なノック部に取り付けられている。この装飾品には、ノック部の外径とほぼ同じ内径を有する円筒状の穴が形成されており、ノック部を当該穴に挿入することによって、装飾品がノック部に取り付けられる。
【先行技術文献】
【特許文献】
【０００３】
【特許文献１】特開２００５−３０５９２５号公報
【発明の概要】
【発明が解決しようとする課題】
【０００４】
しかしながら、ノック部を当該穴に挿入するため、装飾品において当該穴が形成された部分は、ノック部の外径よりも大きな外径を有することになるので、装飾品が嵩張った印象を与え、美感に悪影響を及ぼすおそれがあった。
【０００５】
この発明はこのような問題点を解決するためになされたもので、コンパクトな装飾品を取り付けることのできる筆記具を提供することを目的とする。
【課題を解決するための手段】
【０００６】
この発明に係る筆記具は、筆記部が位置する側の前端部と、前端部と反対側の後端部とを有する筆記具であって、後端部に形成された取り付け穴部と、取り付け穴部に挿入される挿入部を有する装飾品とを備え、挿入部を取り付け穴部に挿入することにより、装飾品が後端部に取り付けられる。
前端開口及び後端開口を有する軸筒と、軸筒内に収容されると共に筆記部を有するリフィールと、後端開口から軸筒内に挿入された押圧部材であって、押圧部材がリフィールを前端開口に向かって押すことにより、前端開口から筆記部が突出する押圧部材とを備え、後端部は、押圧部材のうち後端開口から突出した部分であってもよい。
装飾品はイヤホンジャックであってもよい。
【発明の効果】
【０００７】
この発明によれば、筆記具の後端部に形成された取り付け穴部に装飾品の挿入部を挿入することにより、装飾品が後端部に取り付けられるので、コンパクトな装飾品を取り付けることができる。
【図面の簡単な説明】
【０００８】
【図１】この発明の実施の形態に係る筆記具であって、シャープペンシルのリフィールを軸筒内に収納し、リフィールの筆記部が軸筒内に存在する状態の断面図である。
【図２】この発明の実施の形態に係る筆記具であって、シャープペンシルのリフィールを軸筒内に収納し、リフィールの筆記部が軸筒の前端開口から突出した状態の断面図である。
【図３】この発明の実施の形態に係る筆記具であって、ボールペンのリフィールを軸筒内に収納し、リフィールの筆記部が軸筒内に存在する状態の断面図である。
【図４】この発明の実施の形態に係る筆記具であって、ボールペンのリフィールを軸筒内に収納し、リフィールの筆記部が軸筒の前端開口から突出した状態の断面図である。
【図５】この発明の実施の形態に係る筆記具の後端部に、装飾性のないキャップを取り付けた状態の断面図である。
【発明を実施するための形態】
【０００９】
以下、この発明の実施の形態を添付図面に基づいて説明する。
以下、この発明の実施の形態を添付図面に基づいて説明する。なお、説明にあたっては、筆記部２２側を「前」側とし、反対側（押圧部材３０側）を「後」側として説明する。
図１に示すように、筆記具１は、前端に前端開口１ａを有すると共に後端に後端開口１ｂを有する軸筒１０と、前端に筆記部２２を有し軸筒１０内に収納されたリフィール２０と、後端開口１ｂから軸筒１０内に挿入された押圧部材３０とを備え、シャープペンシルを構成している。筆記具１において、筆記部２２が位置する側を筆記具１の前端部２といい、反対側を筆記具１の後端部３という。この実施の形態では、後端部３は、押圧部材３０のうち後端開口１ｂから突出した部分、すなわち押圧部材後端部３３に相当する。
【００１０】
軸筒１０は、前端に前端開口１ａを有する前軸１２と、後端に後端開口１ｂを有する後軸１３とから構成されている。前軸１２の後端には開口１２ｂが設けられ、開口１２ｂから前端開口１ａに向かって、前軸１２の内周面に適当な長さのねじ溝１１が形成されている。後軸１３の前端部分には略円筒形状の小径部１４が設けられ、小径部１４の外周面にはねじ山１５が形成されている。小径部１４を前軸１２の開口１２ｂから前軸１２の内部に挿入し、ねじ山１５とねじ溝１１とを螺合させることにより、前軸１２と後軸１３とが連結されて、軸筒１０が構成される。
【００１１】
リフィール２０は、その後端側の一部が後軸１３内に収納され、小径部１４から突出したリフィール２０の前端側の残りの部分が前軸１２内に収納されるようにして、軸筒１０内に収納されている。前軸１２の内径は、小径部１４の外径とほぼ同じであり、リフィール２０と前軸１２の内周面との間には隙間が存在する。前端開口１ａ近傍には、前端開口１ａに向かって前軸１２の内径が徐々に縮小する縮径部１２ａが形成されている。後軸１３の内部は、小径部１４から後軸１３の後端に向かって、第１部分１３ａと、第１部分１３ａと隣接する第２部分１３ｂと、第２部分１３ｂと隣接する第３部分１３ｃとから構成されている。第１部分１３ａは、第１部分１３ａの位置に相当する後軸１３の内周面に、第１部分１３ａの前端付近から後端に向かって延びると共に後軸１３の半径方向内方に向かって突出する複数のリブ２８が後軸１３の内周面の周方向に間隔をあけて形成されることにより構成されている。リブ２８のそれぞれは、各リブ２８に接する（後軸１３の軸方向に垂直な）内接円を仮想的に描いた時に、第１部分１３ａにおいてリフィール２０が軸方向に摺動可能な程度の内接円の内径となるような高さを有している。第２部分１３ｂは、第２部分１３ｂの位置に相当する後軸１３の内周面に、リブ２８の後端と接続すると共に第２部分１３ｂの後端まで延びる複数のリブ２９が形成されることにより構成されている。リブ２９のそれぞれは、各リブ２９に接する（後軸１３の軸方向に垂直な）内接円を仮想的に描いた時に、後軸１３の後端側に向かって内接円の内径が徐々に大きくなるような高さを有している。換言すれば、リブ２９は、テーパー状に形成されている。第３部分は、押圧部材３０が軸方向に摺動可能な程度の内径を有している。第１部分１３ａと第２部分１３ｂとの間には、リブ２８及び２９それぞれの高さ、すなわちリブ２８及び２９それぞれの前記内接円の内径が変化することにより段差部１７が形成されている。第２部分１３ｂと第３部分１３ｃとの間には、リブ２９の後端部により段差部１８が形成されている。
【００１２】
後軸１３の内部には、弾性部材であるバネ４０が設けられ、バネ４０の内部にリフィール２０が挿入されるようになっている。押圧部材３０の前端に設けられた円板形状の前端面部３１には、リフィール２０の後端に開口する図示しない孔に挿入可能な略円柱状の挿入突部６１と、リフィール２０の後端に開口する孔の内径よりも大きい外径を有する略円柱状の軸部６２とが設けられている。挿入突部６１がリフィール２０の後端に開口する孔に挿入されることにより、リフィール２０と押圧部材３０とが連結されている。このとき、軸部６２の外径は、リフィール２０の後端に開口する孔の内径よりも大きいので、軸部６２は当該孔の中に挿入されずにリフィール２０の後端面に当接される。リフィール２０が挿入されたバネ４０の一端は、軸部６２がバネ４０の内径部分に挿入される。バネ４０の他端は、テーパー状に形成されたリブ２９の前端部分に嵌り、段差部１７に固定される。
【００１３】
リフィール２０の前端の筆記部２２は、円筒形状の第１部分２２ａと、円錐台形状の第２部分２２ｂと、円筒形状の第３部分２２ｃとからなり、これらはリフィールの前端から後端に向かって順次設けられている。第３部分２２ｃと、それよりも後端側のリフィール２０の他の部分との間には、段差部２３が設けられている。
【００１４】
押圧部材３０は、前端面部３１に隣接するように設けられた略円筒形状の押圧部材本体３２と、押圧部材本体３２に隣接するように設けられた略円筒形状の押圧部材後端部３３とを有している。押圧部材本体３２には、押圧部材本体３２の長手方向に延びる細長い２つの開口溝３４，３５が形成されている。一方の開口溝３４には、押圧部材本体３２の径方向内側に向かって突出する係合部３７が設けられている。押圧部材後端部３３の前端は閉じた形状であると共に後端は開口しており、これにより、押圧部材後端部３３には、取り付け穴部３８が形成されている。取り付け穴部３８に、装飾品であるイヤホンジャック６０の挿入部６３を挿入することにより、押圧部材後端部３３にイヤホンジャック６０が取り付けられている。これにより、押圧部材後端部３３の外周面にはイヤホンジャック６０の一部が覆うことなく、押圧部材後端部３３の後端から、イヤホンジャック６０のいちご形状の装飾部が突出するようになっているので、筆記具１には、コンパクトなイヤホンジャック６０が取り付けられている印象を与えることになる。
【００１５】
押圧部材本体３２の内部には、押圧部材本体３２に対してスライド可能に係止部材５０が設けられている。係止部材５０は、略「コ」の字の横断面形状を有している。係止部材５０の一方の端部には、押圧部材本体３２の後端側に向かうにしたがって押圧部材本体３２の径方向内側に向かって傾斜する係合先部５１が設けられている。リフィール２０の全体が軸筒１０内に収納されている状態では、傾斜した係合先部５１上に係合部３７を受け入れるようになっている。また、鋭角の横断面形状を有する係合先部５１の先端部５１ａは、開口溝３４を介して後軸１３の内周面（第３部分１３ｃ）に当接可能である。係止部材５０の他方の端部には、略円形状の横断面形状を有する支点端部５２が設けられている。支点端部５２は、開口溝３５を介して後軸１３の内周面に当接可能に形成されている。係止部材５０と押圧部材後端部３３との間には、間隔Ｓがあいている。
【００１６】
また、係止部材５０には、係合先部５１に隣接するように、押圧部材本体３２の径方向外側に向かって突出する突部５３が設けられている。後軸１３には孔１６が設けられ、突部５３が孔１６に挿入されて、突部５３の一部が後軸１３の外周面から径方向外側に向かって突出している。ここで、筆記具１の使用者が、後軸１３から突出している突部５３を後軸１３の径方向内側に向かって押すと、後軸１３の内周面に当接している支点端部５２を支点として係止部材５０の略「コ」の字の横断面形状がつぶれるように、係止部材５０は変形する。この変形は、係止部材５０を形成する材料の弾性に基づくものであるので、可逆的な変形である。すなわち、使用者が突部５３の押し込みを止めると、係止部材５０は元の形状に回復する。係止部材５０がこのように変形している間、先端部５１ａは、後軸１３の径方向内側に移動した状態となる。
【００１７】
次に、筆記具１の使用時における動作について説明する。
図１における状態、すなわち、リフィール２０の全体が軸筒１０内に収納されている状態において、筆記具１の使用者は、イヤホンジャック６０を軸筒１０の前端に向かって押すことにより、押圧部材３０が軸筒１０内を軸筒１０の前端に向かって移動する。押圧部材３０はリフィール２０と連結しているので、押圧部材３０のこのような移動に伴い、リフィール２０も軸筒１０内を軸筒１０の前端に向かって移動する。その結果、図２に示されるように、リフィール２０の筆記部２２が前端開口１ａから突出する。筆記部２２は、第１部分２２ａ及び第２部分２２ｂと、第３部分２２ｃの一部とが前端開口１ａから突出しており、この状態で段差部２３が縮径部１２ａに引っ掛かることになるので、筆記部２２がこれ以上前端開口１ａから突出することはない。
【００１８】
押圧部材３０がこのような移動をすると、一端が軸部６２及び前端面部３１で支持されると共に他端が段差部１７に固定されるバネ４０は圧縮される。図２の状態では、バネ４０は、その弾性力により、押圧部材３０を後端開口１ｂに向かって押す状態となっている。
【００１９】
押圧部材３０が軸筒１０の前端に向かって移動しても、押圧部材本体３２の内部に設けられた係止部材５０は、突部５３が孔１６に挿入されているので、押圧部材３０とともに移動することはない。係止部材５０が移動しないまま押圧部材３０が軸筒１０の前端に向かって移動すると、押圧部材本体３２に設けられた係合部３７は軸筒１０の前端に向かって移動するので、係合部３７は、係合先部５１に沿って先端部５１ａに向かって移動する。やがて係合部３７は先端部５１ａを通り越えて、先端部５１ａに対して軸筒１０の前端側に位置することとなる。押圧部材３０はバネ４０によって後端開口１ｂに向かって押された状態であるので、係合部３７は先端部５１ａに当接する状態となり、押圧部材３０はこの位置で静止する。この結果、リフィール２０の筆記部２２が前端開口１ａから突出した状態が維持されることとなる。
【００２０】
また、係止部材５０が移動しないまま押圧部材３０が軸筒１０の前端に向かって移動するので、係止部材５０と押圧部材後端部３３との間の間隔Ｓ’は、間隔Ｓ（図１参照）よりも小さくなる。この結果、筆記具１の使用者がさらにイヤホンジャック６０を軸筒１０の前端に向かって押すことにより、間隔Ｓ’だけ、係止部材５０が移動しないまま押圧部材３０を軸筒１０の前端に向かってさらに移動させることができる。すると、リフィール２０が押圧部材３０によってさらに軸筒１０の前端に向かって押されるが、段差部２３が縮径部１２ａに引っ掛かっているので、リフィール２０は全体としてはこれ以上軸筒１０の前端に向かって移動することはない。しかし、リフィール２０には、リフィール２０内に収容された図示しないシャープペンシルの芯を筆記部２２の第１部分２２ａから突出させるためのバネ２４が設けられており、リフィール２０が押圧部材３０によって軸筒１０の前端に向かって押されることにより、バネ２４が圧縮される。その結果、前端開口１ａから突出している筆記部２２の第１部分２２ａから、シャープペンシルの芯が突出されて、筆記具１で書くことができる状態となる。
【００２１】
筆記部２２が前端開口１ａから突出した状態で、使用者が突部５３を後軸１３の径方向内側に向かって押すと、既に述べたように、係止部材５０が変形して、先端部５１ａが径方向内側に移動した状態となる。係合部３７に当接している先端部５１ａが、係合部３７よりも後軸１３の径方向内側に位置するようになると、バネ４０によって後端開口１ｂに向かって押されている押圧部材３０は、係合部３７が先端部５１ａを通り越すようにして、後端開口１ｂに向かって移動する。すると、押圧部材３０と連結するリフィール２０も押圧部材３０に引っ張られて後端開口１ｂに向かって移動し、その結果、図１の状態になり、前端開口１ａから突出していた筆記部２２は、軸筒１０内に戻される。
【００２２】
筆記具１は、軸筒１０内のリフィールを自由に交換可能である。次に、リフィールを交換する動作を説明する。
図１に示すように、使用者が片手で後軸１３をつかみ、他方の手で前軸１２を回転させることにより、後軸１３から前軸１２を取り外す。すると、小径部１４からリフィール２０の前端側の一部が突出した状態が露出される。この状態でリフィール２０を引っ張ると、リフィール２０と押圧部材３０との連結が外れて、リフィール２０のみが後軸１３からも取り外されることとなる。この状態では、バネ４０は、他端側が段差部１７に固定された状態で後軸１３内に留まっているので、バネ４０を紛失することはない。
【００２３】
例えば、シャープペンシルのリフィール２０からボールペンのリフィールに代える場合、交換するリフィールをその後端から小径部１４に挿入して、後端開口１ｂに向かってリフィールを押しこむ。ここで、後軸１３の第１部分１３ａは、リフィールの外径とほぼ同じ内径を有しているので、リフィールは、後軸１３の軸線に沿って真っすぐに押し込まれ、バネ４０の内部に容易に挿入されると共に挿入突部６１が容易にリフィールの後端の孔に挿入されて、リフィールと押圧部材３０とが連結される。その後、リフィールの前端を前軸１２の後端の開口１２ｂから前軸１２内に挿入するようにして、前軸１２と後軸１３とを連結することにより、図３に示すような、ボールペンのリフィール２０’が軸筒１０内に収納された筆記具１が構成される。
【００２４】
次に、ボールペンとしての筆記具１の使用時における動作について説明する。
シャープペンシルとしての筆記具１のときと同様に、筆記具１の使用者がイヤホンジャック６０を軸筒１０の前端に向かって押すと、軸筒１０の前端に向かう押圧部材３０の移動に伴い、リフィール２０’も軸筒１０の前端に向かって移動して、図４に示すように、リフィール２０’の筆記部２２’が前端開口１ａから突出する。この状態を維持する構成は、シャープペンシルとしての筆記具１のときと同じである。
【００２５】
シャープペンシルとしての筆記具１のときと同様に、筆記部２２’が前端開口１ａから突出しても、係止部材５０と押圧部材後端部３３との間に間隔Ｓ’が存在する。図４の状態からイヤホンジャック６０を軸筒１０の前端に向かってさらに押すと、前端面部３１が段差部１８と当接し、押圧部材３０の前進が規制され、筆記部２２’がこれ以上前端開口１ａから突出することはなく、イヤホンジャック６０をこれ以上押すことができなくなる。イヤホンジャック６０を押すのをやめると、バネ４０によって押圧部材３０が後端開口１ｂに向かって押されて、係合先部５１が係合部３７に係合する状態、すなわち図４の状態に戻る。筆記部２２’を軸筒１０内に戻す動作は、シャープペンシルとしての筆記具１のときと同じである。
【００２６】
筆記具１の使用者が筆記具１に装飾性を求めない場合や、フォーマルな雰囲気の場所で筆記具１を使用するために装飾性が求められない場合には、図５に示されるように、装飾性のないキャップ部材７０を押圧部材後端部３３に取り付けることができる。キャップ部材７０は、取り付け穴部３８の内径とほぼ同じ外径を有する円柱形状の挿入部７１と、押圧部材後端部３３の後端を塞ぐ蓋部７２とから構成され、挿入部７１を取り付け穴部３８に挿入することにより、キャップ部材７０を押圧部材後端部３３に取り付けると、筆記具１の後端部３は、装飾性のない略円柱形状の押圧部材後端部３３が軸筒１０の後端開口１ｂから突出した形態となる。
【００２７】
このように、押圧部材後端部３３に形成された取り付け穴部３８にイヤホンジャック６０の挿入部を挿入することにより、イヤホンジャック６０が押圧部材後端部３３に取り付けられるので、コンパクトなイヤホンジャック６０を取り付けることができる。
【００２８】
この実施の形態において、装飾品はイヤホンジャック６０であったが、イヤホンジャックに限定するものではない。筆記具１を装飾するための専用の装飾品であってもよい。また、装飾品に、企業名や商品名、宣伝用フレーズ等を記載したものを記載することにより、装飾品を取り換えることのみで、同じ筆記具にもかかわらず、様々な企業や商品等の宣伝用に用いることができる。
【００２９】
この実施の形態において、筆記具１は、軸筒１０内のリフィールを交換可能なものであったが、リフィールの交換ができないボールペンまたはシャープペンシルであってもよい。また、筆記具１は、軸筒１０が前軸１２と後軸１３とに分離可能なものであったが、分離不可能な一体型の軸筒であってもよい。さらに、筆記具１は、ノック機構による出没式筆記具であったが、使い捨てボールペンのように一体型の軸筒の後端にキャップを取り付け、そのキャップに、装飾品の挿入部が挿入する取り付け穴部を設けた筆記具や、軸筒が前軸と後軸とからなり、前軸に対して後軸をその軸方向に関して回転させることにより筆記部を軸筒の前端から出没させる筆記具であって、後軸の後端に、装飾品の挿入部が挿入する取り付け穴部を設けた筆記具であってもよい。
【符号の説明】
【００３０】
１  筆記具、１ａ  前端開口、１ｂ  後端開口、２  前端部、３  後端部、１０  軸筒、２０，２０’  リフィール、２２，２２’  筆記部、３０  押圧部材、３８  取り付け穴部、６０  イヤホンジャック（装飾品）、６３  挿入部。
【図１】
2014231214.tif 000003
【図２】
2014231214.tif 000004
【図３】
2014231214.tif 000005
【図４】
2014231214.tif 000006
【図５】
2014231214.tif 000007